(57)【要約】【課題】バックライト制御係数および振幅制御の係数の生成を、小さな規模の回路で遅延なく行うことのできる画像処理装置および画像表示装置を提供する。【解決手段】空間領域の元画像データを周波数領域の画像データに変換し、さらに、量子化を行った入力画像データを、逆量子化し、さらに、空間領域の復元画像データに復元し、バックライトを備える画像表示パネルに出力するとともに、該バックライトの輝度を制御するバックライト制御係数を出力する画像処理装置であって、入力画像データ、もしくは、入力画像データを逆量子化したデータの直流成分にもとづいて、バックライト制御係数を生成するバックライト制御係数生成回路と、該バックライト制御係数に応じて、復元画像データの振幅を制御する振幅制御係数を生成する振幅制御係数生成回路とを有することにより、上記課題を解決する。【選択図】図１
2011164190.tif 000002
【特許請求の範囲】
【請求項１】
空間領域の元画像データを周波数領域の画像データに変換し、さらに、量子化を行った入力画像データを、逆量子化し、さらに、空間領域の復元画像データに復元し、バックライトを備える画像表示パネルに出力するとともに、該バックライトの輝度を制御するバックライト制御係数を出力する画像処理装置であって、
前記入力画像データ、もしくは、前記入力画像データを逆量子化したデータの直流成分にもとづいて、前記バックライト制御係数を生成するバックライト制御係数生成回路と、
該バックライト制御係数に応じて、前記復元画像データの振幅を制御する振幅制御係数を生成する振幅制御係数生成回路とを有することを特徴とする画像処理装置。
【請求項２】
前記入力画像データが、前記元画像データの変換および量子化を、所定の個数の画素からなる画素ブロックごとに行ったものであり、
前記バックライト制御係数生成回路および前記振幅制御係数生成回路が、前記画像表示パネルの表示領域を複数に分割した、それぞれが複数の前記画素ブロックに対応する領域を含む輝度制御領域ごとに、前記バックライト制御係数および振幅制御係数を生成することを特徴とする請求項１記載の画像処理装置。
【請求項３】
前記元画像データ、入力画像データ、復元画像データのそれぞれが、複数のフレームの画像データからなり、
前記入力画像データが、
対応するフレームの復元画像データの復元を、そのフレームの入力画像データのみから行うことができるイントラフレーム入力画像データと、
フレーム間の動きベクトルの情報を有し、対応するフレームの復元画像データの復元に、前記イントラフレーム入力画像データを復元した復元画像データと、前記動きベクトルの情報とが必要なインターフレーム入力画像データとを含み、
前記バックライト制御係数生成回路および振幅制御係数生成回路が、
前記イントラフレーム入力画像データのみの直流成分にもとづいて、第１のバックライト制御係数および振幅制御係数を生成するとともに、
前記動きベクトルの情報をもちいて、前記第１のバックライト制御係数および振幅制御係数の補正を行うことを特徴とする請求項１または２記載の画像処理装置。
【請求項４】
請求項１ないし３のいずれかに記載の画像処理装置と、
前記バックライトを備える画像表示パネルと、を備えることを特徴とする画像表示装置。
【発明の詳細な説明】
【技術分野】
【０００１】
本発明は、空間領域の元画像データを周波数領域の画像データに変換し、さらに、量子化を行った入力画像データを、逆量子化し、さらに、空間領域の復元画像データに復元し、バックライトを備える画像表示パネルに出力するとともに、バックライトの輝度を制御するバックライト制御係数を出力する画像処理装置、およびこの画像処理装置を備える画像表示装置に関する。
【背景技術】
【０００２】
従来、画像表示装置には、ＬＶＤＳ（Low Voltage Differential signaling）などのインタフェースを介してＲＧＢの生データ（非圧縮のデータ）等が転送されることが一般的に行われている。しかし、転送用のバンド幅に制約がある場合等には、圧縮データを転送することが考えられる。特に、デジタルＴＶ等において、ＭＰＥＧ等の圧縮データを送信し、これを画像表示装置側で受信して伸張を行えば転送用のバンド幅を大幅に節約することができる。
【０００３】
一方、液晶パネルのバックライトの光源には、主に冷陰極管（ＣＣＦＬ：Cold Cathode Fluorescent Lamp）が用いられてきたが、色再現性や省電力性からＬＥＤ（Light Emitting Diode）が採用されることが増加してきている。
【０００４】
ＬＥＤは冷陰極管とは異なり、部分ごとに輝度を制御することができるため、消費電力を低減するとともにコントラスト比を高めることが可能である。ところが、ＬＥＤの輝度を制御するためには、非圧縮データである画像データを解析してバックライト制御係数を決定し、さらに画像データにバックライト制御係数に応じた振幅制御を行う必要があった。このため、画像表示装置側で圧縮されたデータを伸張する場合であっても、伸張後の非圧縮データに対し画像解析を行ってＬＥＤの輝度を制御するための処理を行っていた。
【０００５】
図２は、従来の画像表示装置の構成を表す一例のブロック図である。
図２に示す画像表示装置１００は、画像処理装置１０２、および液晶表示パネル１２０によって構成され、液晶表示パネル１２０は、バックライト１１６、および液晶表示部１１８から構成されている。
ここで、画像表示装置１００では、液晶表示部１１８の画面全体が横３×縦３の９つの輝度制御領域に分割され、各々の輝度制御領域に対して１つずつ、独立して輝度の制御が可能なバックライトが設けられている。また、画像表示装置１００には、例えば、横８×縦８画素のブロックを単位として、空間領域の元画像データを周波数領域の画像データに変換し、量子化し、さらに符号化した画像データが入力される。
【０００６】
図２に示す画像処理装置１０２は、入力画像データを復号化し、逆量子化し、さらに、空間領域の復元画像データに復元するとともに、バックライト１１６の輝度を制御し、これに応じて、復元画像データを振幅調整して液晶表示部１１８へ出力するもので、復号化回路１０４、逆量子化回路１０６、逆ＤＣＴ（Discrete Cosine Transform）回路１０８、画像再構成回路１０９、画像解析回路１１０、バックライト制御係数生成回路１１２、および振幅制御係数生成回路１１４から構成されている。
【０００７】
ここで、復号化回路１０４は、入力画像データのそれぞれのブロックについて、符号化された入力画像データを復号化（デコード）し、符号化される前の量子化された画像データを出力する。
逆量子化回路１０６は、復号化回路１０４から出力された画素ブロックの量子化された画像データに対して量子化係数に基づき逆量子化を行い、量子化される前の周波数領域の画像データを出力する。
逆ＤＣＴ回路１０８は、逆量子化回路１０６から出力された画素ブロックの周波数領域の画像データに対して逆ＤＣＴ変換を行い、ＤＣＴ変換される前の空間領域の復元画像データを出力する。
画像再構成回路１０９は、逆ＤＣＴ回路１０８が復元した空間領域の画像データを、画面全体の画像のデータに再構成する。
【０００８】
画像解析回路１１０は、それぞれの輝度制御領域について、含まれる複数の画素ブロックから復元された、空間領域の復元画像データの画像解析を行い、例えば、各輝度制御領域ごとに最大輝度を検出し、輝度情報を出力する。
このために、画像解析回路１１０は、図２に示すように、例えば、どの輝度制御領域に含まれるかを指定する領域指定回路１１０ａと、それぞれの輝度制御領域に対応して設けられ、それぞれの輝度制御領域内に位置する画素のデータを解析して輝度を検出する複数の輝度検出回路１１０ｂと、輝度検出回路１１０ｂが検出した輝度を記憶するレジスタ１１０ｃとからなる。
バックライト制御係数生成回路１１２は、輝度情報からバックライト１１６を制御するためのバックライト制御係数を生成する。
振幅制御係数生成回路１１４は、バックライト制御係数から振幅制御係数を生成し出力する。生成された振幅制御係数は、逆ＤＣＴ回路１０８から出力された空間領域の復元画像データと演算され、出力復元画像データが生成される。
生成されたバックライト制御係数および出力復元画像データは、それぞれバックライト１１６および液晶表示部１１８に同期して出力される。
【０００９】
このように、従来の画像処理装置では、バックライト制御係数や振幅制御係数の生成のために、非圧縮の画像データである空間領域の復元画像データを解析する画像解析回路が必要となる。大きなサイズを有する空間領域の画像データの解析を限られた時間内に完了するためには、大きな規模の回路が必要になり、コストおよび消費電力増大の要因となっていた。
また、空間領域の画像データにまで復元し、さらに、画面全体の画像に再構成したデータが必要であるため、バックライト制御係数および振幅制御係数の生成が遅延する。このため、バックライト制御係数および振幅制御係数を同一のフレームの復元画像データの表示に適用することができない。次のフレームまで遅延して適用した場合、例えば画面が明から暗に変わったときにちらついてしまうという問題もあった。
一方、生成したバックライト制御係数および振幅制御係数を同一フレームの復元画像データの表示に適用するために、復元画像データを１フレームの期間保持しておこうとすると、復元画像データ用の大容量のフレームメモリが必要であった。
【００１０】
ここで、本発明に関連性のある先行技術文献として、特許文献１および２がある。
特許文献１には、入力されたＤＣＴ係数に対して、コントラスト向上処理を行ってからＩＤＣＴ（逆ＤＣＴ）変換を行うことが開示されている。このコントラスト向上処理では、イントラブロックの場合には、ＤＣ係数（８β）を引いてから伸張ファクタを乗じて、０〜２０４７の範囲全体が利用できるようにＤＣＴ係数の変換を行い、インターブロックの場合には、イントラブロックと同一の伸張ファクタを乗じて、−２０４８〜２０４７の範囲全体が利用できるようにＤＣＴ係数の変換を行うことが開示されている。
【００１１】
特許文献２には、従来のＭＰＥＧビデオデコーダの一例（例えば、特許文献２の図９）が開示されている。
【先行技術文献】
【特許文献】
【００１２】
【特許文献１】特表２００４−５２１５５４号公報
【特許文献２】特開平９−２００７４３号公報
【発明の概要】
【発明が解決しようとする課題】
【００１３】
本発明の目的は、バックライト制御係数および振幅制御係数の生成を、小さな規模の回路で遅延なく行うことのできる画像処理装置および画像表示装置を提供することにある。
【課題を解決するための手段】
【００１４】
上記課題を解決するために、本発明は、空間領域の元画像データを周波数領域の画像データに変換し、さらに、量子化を行った入力画像データを、逆量子化し、さらに、空間領域の復元画像データに復元し、バックライトを備える画像表示パネルに出力するとともに、該バックライトの輝度を制御するバックライト制御係数を出力する画像処理装置であって、前記入力画像データ、もしくは、前記入力画像データを逆量子化したデータの直流成分にもとづいて、前記バックライト制御係数を生成するバックライト制御係数生成回路と、該バックライト制御係数に応じて、前記復元画像データの振幅を制御する振幅制御係数を生成する振幅制御係数生成回路とを有することを特徴とする画像処理装置を提供する。
【００１５】
さらに、前記入力画像データが、前記元画像データの変換および量子化を、所定の個数の画素からなる画素ブロックごとに行ったものであり、前記バックライト制御係数生成回路および前記振幅制御係数生成回路が、前記画像表示パネルの表示領域を複数に分割した、それぞれが複数の前記画素ブロックに対応する領域を含む輝度制御領域ごとに、前記バックライト制御係数および振幅制御係数を生成するのが好ましい。
【００１６】
また、前記元画像データ、入力画像データ、復元画像データのそれぞれが、複数のフレームの画像データからなり、前記入力画像データが、対応するフレームの復元画像データの復元を、そのフレームの入力画像データのみから行うことができるイントラフレーム入力画像データと、フレーム間の動きベクトルの情報を有し、対応するフレームの復元画像データの復元に、前記イントラフレーム入力画像データを復元した復元画像データと、前記動きベクトルの情報とが必要なインターフレーム入力画像データとを含み、前記バックライト制御係数生成回路および振幅制御係数生成回路が、前記イントラフレーム入力画像データのみの直流成分にもとづいて、第１のバックライト制御係数および振幅制御係数を生成するとともに、前記動きベクトルの情報をもちいて、前記第１のバックライト制御係数および振幅制御係数の補正を行うのが好ましい。
【００１７】
さらに、上記課題を解決するために、本発明は、上記のいずれかに記載の画像処理装置と、前記バックライトを備える画像表示パネルと、を備えることを特徴とする画像表示装置を提供する。
【発明の効果】
【００１８】
本発明によれば、バックライト制御係数および振幅制御係数の生成を、空間領域の画像データに比較してサイズが小さい周波数領域の画像データを解析することによって行う。このため、解析に必要な回路の規模を小さくし、コストおよび消費電力を低減することが可能である。また、空間領域の画像データを復元するより前にバックライト制御係数および振幅制御係数を生成するため、生成した係数を現在のフレームに対して適用することが可能である。
【図面の簡単な説明】
【００１９】
【図１】本発明に係る画像表示装置の一実施形態を示すブロック図である。
【図２】従来の画像表示装置の一例を示すブロック図である。
【発明を実施するための形態】
【００２０】
本発明に係る画像処理装置および画像表示装置を、添付の図面に示す好適実施形態に基づいて以下に詳細に説明する。
【００２１】
図１は、本発明の画像表示装置の構成を表す一実施形態のブロック図である。
図１に示す画像表示装置１０は、画像処理装置１２、および液晶表示パネル３４によって構成され、液晶表示パネル３４は、バックライト３０、および液晶表示部３２によって構成される。
ここで、画像表示装置１０では、液晶表示部３２の画面全体が横３×縦３の９つの輝度制御領域に分割され、各々の輝度制御領域に対して１つずつ、独立して輝度の制御（調整）が可能なバックライト３０が設けられている。
【００２２】
また、画像表示装置１０には、横８×縦８画素のブロックを単位として、空間領域の元画像データを周波数領域の画像データに変換し、量子化し、さらに符号化した画像データが入力される。入力画像データは、水平方向に画素ブロック単位で順次入力され、水平方向の最後の画素ブロックの入力画像データが入力された後、次いで垂直方向に１ブロック分移動され、同様に水平方向に画素ブロック単位で入力されることが繰り返し行われる。入力画像データの画素ブロックの大きさは、１つの輝度制御領域の大きさよりも小さい。つまり、各々の輝度制御領域には、それぞれ、複数の入力画像データの画素ブロックが含まれる。
さらに、本実施形態では、それぞれの輝度制御領域に含まれる複数の画素ブロックのうち、直流成分が最大のものに基づいてバックライトの輝度の制御が行われるものとする。
【００２３】
図１に示す画像処理装置１２は、符号化された入力画像データを復号化し、逆量子化し、さらに、空間領域の復元画像データに復元するとともに、９つの輝度制御領域の各々に対応するバックライト３０の輝度を制御し、これに応じて、振幅調整された画像データを液晶表示部３２へ出力するもので、復号化回路１４、逆量子化回路１６、逆ＤＣＴ回路１８、画像再構成回路１９、領域指定回路２０、ＤＣ成分検出回路２２、レジスタ２４、バックライト制御係数生成回路２５、および振幅制御係数生成回路２８で構成される。
【００２４】
ここで、復号化回路１４は、入力画像データのそれぞれの画素ブロックについて、符号化された入力画像データを復号化（デコード）し、符号化される前の量子化された画像データを出力する。
【００２５】
逆量子化回路１６は、復号化回路１４から出力された画素ブロックの量子化された画像データに対して量子化係数に基づき逆量子化を行い、量子化される前の周波数領域の画像データを出力する。ここで、周波数領域の画像データは、８×８画素の画素ブロック単位でＤＣＴ変換（直交変換）されたものである。８×８画素の画素ブロックのＤＣＴ係数のうち、（０，０）のＤＣＴ係数（画素ブロックに含まれる８×８＝６４個のＤＣＴ係数を、ジグザグスキャンして得られる最初のＤＣＴ係数）は、直流（ＤＣ）成分であり、この直流成分は８×８画素の画素ブロックにおける平均輝度を表している。
【００２６】
逆ＤＣＴ回路１８は、逆量子化回路１６から出力された画素ブロックの周波数領域の画像データに対して逆ＤＣＴ変換を行い、ＤＣＴ変換される前の空間領域の復元画像データを出力する。なお、本実施形態では逆ＤＣＴ変換を行ったが、元画像データが他の直交変換方式で空間領域の画像データから周波数領域の画像データに変換されている場合には、変換に用いた直交変換方式の逆変換で復元を行えばよい。
画像再構成回路１９は、逆ＤＣＴ回路１８が復元した空間領域の画像データを、画面全体の画像のデータに再構成する。
【００２７】
領域指定回路２０は、逆量子化回路１６から出力された周波数領域の画像データの８×８画素の画素ブロックが、バックライトの輝度が独立に制御される９つの輝度制御領域のうちの、どの領域に含まれるのかを検出し、当該画素ブロックの周波数領域の画像データと前述の検出結果である領域指定情報を出力する。
【００２８】
領域指定回路２０は、１フレームに含まれる画素ブロック数をカウントするカウンタを備えている。カウンタにより、水平方向の画素ブロック数をカウントすることによって、それぞれの画素ブロックが水平方向のどの位置に対応するものか、すなわち、水平方向のどの輝度制御領域に含まれるのかを検出することができる。また、垂直方向の輝度制御領域についても同様である。
【００２９】
ＤＣ成分検出回路２２は、９つの輝度制御領域ごとに１つずつ設けられている。各ＤＣ成分検出回路２２は、領域指定情報に従って、領域指定回路２０から、それぞれに対応する輝度制御領域に含まれる画素ブロックの周波数領域の画像データが入力されると、当該画素ブロックの直流（ＤＣ）成分、すなわち平均輝度情報を検出する。
【００３０】
また、ＤＣ成分検出回路２２は、対応する輝度制御領域に含まれる最初の画素ブロックの直流成分を検出すると、検出した直流成分の値を対応するレジスタ２４に書き込む。また、２番目以降の画素ブロックの直流成分を検出すると、直流成分の値が対応するレジスタ２４に記憶されている値よりも大きい時、検出された直流成分の値でレジスタ２４の値を更新する。つまり、レジスタ２４には、最終的に、対応する輝度制御領域に含まれる複数の画素ブロックの直流成分のうち、最大の直流成分の値が保存される。
【００３１】
バックライト制御係数生成回路２５は、それぞれの輝度制御領域について、直流成分の最大値の検出が終了した後に、レジスタ２４に記憶されている直流成分の最大値を読み出し、これに応じて、それぞれの輝度制御領域に対応するバックライト制御係数を生成する。これにより、輝度が高い領域ではバックライト制御係数を高くして十分な輝度を確保するとともに、輝度が低い領域ではバックライト制御係数を低くして電力消費を低減することができる。
【００３２】
振幅制御係数生成回路２８は、バックライト制御係数生成回路２５から出力された各輝度制御領域に対応するバックライト制御係数に応じて、各輝度制御領域に対応する振幅制御係数を生成する。振幅制御係数は、例えば、バックライト制御係数の逆数に設定される。例えば、バックライト制御係数が２倍になれば、振幅制御係数は２分の１に設定される。これにより、輝度が低い領域で画像データの振幅を大きくして、コントラスト比を大きくすることができる。
【００３３】
バックライト３０は、ＬＥＤを用いたバックライトであり、それぞれの輝度制御領域ごとに設けられている、それぞれのバックライト３０は、対応するバックライト制御係数に応じて、それぞれ独立に輝度の制御が可能である。
【００３４】
液晶表示部３２は、バックライト３０と合わせて画像表示パネルを構成する。液晶表示部３２には、画像再構成回路１９から出力された画面全体の画像のデータに対して、振幅制御係数生成回路２８から出力された振幅制御係数が乗算されることにより、振幅（ディジタル画像データの値）が制御された画像データが入力される。液晶表示部３２は、入力された画像データに応じた画像を表示する。
【００３５】
次に、本発明に係る画像表示装置の動作を説明する。
まず、画像表示装置１０の外部から、符号化された入力画像データが画像処理装置１２内の復号化回路１４に入力される。符号化された入力画像データは復号化（デコード）され、符号化される前の量子化された画像データが出力される。
【００３６】
量子化された画像データは、逆量子化回路１６に入力され、量子化された画像データに対して量子化係数に基づき逆量子化が行われ、量子化される前の周波数領域の画像データが出力される。
【００３７】
量子化される前の周波数領域の画像データは、逆ＤＣＴ回路１８に入力され、当該周波数領域の画像データに対して逆ＤＣＴ変換が行われ、ＤＣＴ変換される前の空間領域の復元画像データが出力される。
【００３８】
一方、領域指定回路２０には、逆量子化回路１６から出力された周波数領域の画像データが、水平方向に画素ブロック単位で順次入力され、次いで垂直方向に１ブロック分移動され、同様に水平方向に画素ブロック単位で入力される。領域指定回路２０では、入力された各画素ブロックが画像のどの部分を構成するか、すなわちどの輝度制御領域に含まれるかが検出され、当該画素ブロックの周波数領域の画像データと、検出結果である領域指定情報とが出力される。
なお、逆量子化回路１６の出力である周波数領域の入力画像データの代わりに、図１に破線で示すように、復号化回路１４の出力である量子化された入力画像データを使用してもよい。
【００３９】
各ＤＣ成分検出回路２２には、領域指定回路２０から出力された領域指定情報に基づき、それぞれ対応した輝度制御領域に含まれる、画素ブロックの周波数領域の画像データが入力される。各ＤＣ成分検出回路２２によって、入力された画素ブロックから平均輝度情報（直流成分）が検出され、その値が、対応するレジスタ２４に記憶されている値よりも大きい場合には、当該検出された平均輝度情報の値が、対応するレジスタ２４に書き込まれる。つまり、レジスタ２４の値が、より大きい値で更新される。
【００４０】
続いて、バックライト制御係数生成回路２５では、それぞれの輝度制御領域について、直流成分の最大値の検出が終了した後に、レジスタ２４に記憶されている直流成分の最大値が読み出され、各輝度制御領域ごとにバックライト制御係数が生成される。
【００４１】
振幅制御係数生成回路２８では、バックライト制御係数生成回路２５から出力された各輝度制御領域に対応するバックライト制御係数に応じて、各輝度制御領域に対応する振幅制御係数が生成される。そして、画像再構成回路１９から出力された画面全体の画像のデータに対して、当該振幅制御係数が乗算され、出力復元画像データが生成される。
生成されたバックライト制御係数および出力復元画像データは、それぞれバックライト３０および液晶表示部３２に同期して出力される。これにより、バックライト３０は、バックライト制御係数に応じた輝度に制御されるとともに、液晶表示部３２には、バックライト３０の輝度制御に対応して振幅が制御された出力復元画像データに応じた画像が表示される。
【００４２】
上記の実施形態に示したように、各画素ブロックごとに、量子化されたデータ、または逆量子化された周波数領域の画像データから、直流成分（平均輝度情報）を検出して、バックライト制御係数、および振幅制御係数を生成する。このため、サイズの大きな非圧縮の画像データを解析する画像解析回路が不要となり、回路規模を小さくすることができる。
また、同じ理由から、バックライト制御係数および振幅制御係数の生成は、復元画像データの生成時間内で行われるため遅延は発生しない。従って、生成したバックライト制御係数および振幅制御係数を、同一フレームの復元画像データの表示に反映させることができる。このため、画面のちらつき等の発生が抑えられ、より適切に復元画像データを表示させることができる。
さらに、生成したバックライト制御係数および振幅制御係数を同一フレームの復元画像データの表示に反映させる目的で、復元画像データを記憶するフレームメモリを設ける必要は無く、併せてコストを下げることができる。
【００４３】
なお、上述の符号化された入力画像データとして、静止画像（例えば、ＪＰＥＧ）が入力されてもよいし、動画像が入力されてもよい。例えば、動画像としてＭＰＥＧ−２等のようなフレーム間予測、動き補償を用いる動画像の場合にも適用できる。
すなわち、入力画像データが、対応するフレームの復元画像データの復元が、そのフレーム入力画像データのみで可能なイントラフレーム（Ｉフレーム）入力画像データと、入力画像データが、対応するフレームの復元画像データの復元に、イントラフレーム入力画像データを復元した復元画像データと、フレーム間の動きベクトル情報とが必要なインターフレーム（Ｂ，Ｐフレーム）とを有する場合には、バックライト制御係数生成回路および振幅制御係数生成回路により、イントラフレーム入力画像データから、まずイントラフレームのみの直流成分に基づいて、イントラフレームのバックライト制御係数および振幅制御係数を生成し、インターフレームのバックライト制御係数および振幅制御係数は、イントラフレームのバックライト制御係数に対し動きベクトル情報によって補正を行い生成すればよい。
【００４４】
上記では符号化された入力画像データの動画像の場合としてＭＰＥＧ−２を挙げたが、これに限られず、ＭＰＥＧ−４ＡＶＣ、Ｈ．２６４等の他の形式でもよい。
また、入力画像データにおいて、量子化後の画像データを符号化することは必須ではない。この場合、画像処理装置においても、入力画像データを復号化する復号化回路は不要である。
また、ＤＣ成分検出回路はレジスタと１対１としたが、ＤＣ成分検出回路を画面の横方向の分割数だけ設け、画面の縦方向は対応するレジスタを切り替えることで、複数のレジスタでＤＣ成分検出回路を共用してもよい。
また、領域指定回路から領域指定情報を出力する代わりに、各ＤＣ成分検出回路がカウンタを持ち、それぞれの輝度制御領域を判定してもよい。
【００４５】
以上、本発明の画像表示装置について詳細に説明したが、本発明は、上記実施形態に限定されるものではなく、本発明の要旨を逸脱しない範囲において、各種の改良や変更を行ってもよい。
【符号の説明】
【００４６】
１０  画像表示装置
１２  画像処理装置
１４  復号化回路
１６  逆量子化回路
１８  逆ＤＣＴ回路
１９  画像再構成回路
２０  領域指定回路
２２  ＤＣ成分検出回路
２４  レジスタ
２５  バックライト制御係数生成回路
２８  振幅制御係数生成回路
３０  バックライト
３２  液晶表示部
３４  液晶表示パネル
【図１】
2011164190.tif 000003
【図２】
2011164190.tif 000004